(57)【要約】【課題】各ケアマネージャやヘルパ等のケアプランや実績等の情報を一括管理することなく分散管理することによって、低簾かつ容易に情報共有することが可能な情報管理サーバ等の提供。【解決手段】情報管理サーバ１０は、電気通信回線を介して相互に接続される他の情報管理サーバ２０〜５０と共有する共有情報を蓄積するデータベース１と、データベース１に蓄積する共有情報を同期する他の情報管理サーバ２０〜５０のリストを記憶する同期リスト記憶手段２と、データベース１に蓄積する共有情報を同期リスト記憶手段２に記憶された他の情報管理サーバ２０〜５０のすべてと順次同期する同期手段４と、電気通信回線を介して接続するＰＣ１１〜１３からの要求に応じてデータベース１へ共有情報を記録するとともにデータベース１から共有情報を検索し提供する情報処理手段３とを有する。【選択図】  図２
2005122379.tif 000002
【特許請求の範囲】
【請求項１】
電気通信回線を介して接続される他の情報管理サーバと共有する共有情報を蓄積する情報蓄積手段と、同情報蓄積手段に蓄積する共有情報を同期する他の情報管理サーバのリストを記憶する同期リスト記憶手段と、前記情報蓄積手段に蓄積する共有情報を前記同期リスト記憶手段に記憶された他の情報管理サーバのすべてと順次同期する同期手段と、電気通信回線を介して接続するクライアントからの要求に応じて前記情報蓄積手段へ共有情報を記録するとともに前記情報蓄積手段から共有情報を検索し提供する情報処理手段とを有する情報管理サーバ。
【請求項２】
前記情報蓄積手段は、前記共有情報に加えて前記クライアントのみに提供する保護情報を蓄積するものであり、前記同期手段は、前記情報蓄積手段に蓄積する保護情報を除いて同期するものであり、前記情報処理手段は、前記クライアントからの要求に応じて前記情報蓄積手段から保護情報を検索し提供するものである請求項１記載の情報管理サーバ。
【請求項３】
前記同期手段は、前記同期リスト記憶手段に記憶された情報管理サーバに接続し、この接続した情報管理サーバに蓄積された共有情報と自己の情報蓄積手段に蓄積する共有情報とを比較し、この比較の結果、自己の情報蓄積手段に蓄積する共有情報に加えられた変更が前記接続した情報管理サーバに蓄積する共有情報に加えられていない場合に、自己の情報蓄積手段に蓄積する共有情報に加えられた変更を前記接続した情報管理サーバに蓄積する共有情報に加えるものである請求項１または２に記載の情報管理サーバ。
【請求項４】
電気通信回線を介して相互に接続される複数の情報管理サーバから構成される情報管理サーバシステムであって、前記情報管理サーバはそれぞれ、他の情報管理サーバと共有する共有情報を蓄積する情報蓄積手段と、同情報蓄積手段に蓄積する共有情報を同期する他の情報管理サーバのリストを記憶する同期リスト記憶手段と、前記情報蓄積手段に蓄積する共有情報を前記同期リスト記憶手段に記憶された他の情報管理サーバのすべてと順次同期する同期手段と、電気通信回線を介して接続するクライアントからの要求に応じて前記情報蓄積手段へ共有情報を記録するとともに前記情報蓄積手段から共有情報を検索し提供する情報処理手段とを有するものであることを特徴とする情報管理サーバシステム。
【請求項５】
前記情報管理サーバのそれぞれの情報蓄積手段は、前記共有情報に加えて前記クライアントのみに提供する保護情報を蓄積するものであり、前記情報管理サーバのそれぞれの同期手段は、前記情報蓄積手段に蓄積する保護情報を除いて同期するものであり、前記情報管理サーバのそれぞれの情報処理手段は、前記クライアントからの要求に応じて前記情報蓄積手段から保護情報を検索し提供するものである請求項４記載の情報管理サーバシステム。
【請求項６】
電気通信回線を介して相互に接続される他の情報管理サーバと共有する共有情報を蓄積する情報蓄積手段と、同情報蓄積手段に蓄積する共有情報を同期する他の情報管理サーバのリストを記憶する同期リスト記憶手段と、前記情報蓄積手段に蓄積する共有情報を前記同期リスト記憶手段に記憶された他の情報管理サーバのすべてと順次同期する同期手段と、電気通信回線を介して接続するクライアントからの要求に応じて前記情報蓄積手段へ共有情報を記録するとともに前記情報蓄積手段から共有情報を検索し提供する情報処理手段とを有する情報管理サーバによる情報管理方法であって、前記同期リスト記憶手段に記憶された情報管理サーバに接続し、この接続した情報管理サーバに蓄積された共有情報と自己の情報蓄積手段に蓄積する共有情報とを比較し、この比較の結果、自己の情報蓄積手段に蓄積する共有情報に加えられた変更が前記接続した情報管理サーバに蓄積する共有情報に加えられていない場合に、自己の情報蓄積手段に蓄積する共有情報に加えられた変更を前記接続した情報管理サーバに蓄積する共有情報に加える情報管理方法。
【請求項７】
コンピュータを、電気通信回線を介して相互に接続される他の情報管理サーバと共有する共有情報を蓄積する情報蓄積手段と、同情報蓄積手段に蓄積する共有情報を同期する他の情報管理サーバのリストを記憶する同期リスト記憶手段と、前記情報蓄積手段に蓄積する共有情報を前記同期リスト記憶手段に記憶された他の情報管理サーバのすべてと順次同期する同期手段と、電気通信回線を介して接続するクライアントからの要求に応じて前記情報蓄積手段へ共有情報を記録するとともに前記情報蓄積手段から共有情報を検索し提供する情報処理手段として機能させるための情報管理サーバプログラム。
【請求項８】
前記情報蓄積手段は、前記共有情報に加えて前記クライアントのみに提供する保護情報を蓄積するものであり、前記同期手段は、前記情報蓄積手段に蓄積する保護情報を除いて同期するものであり、前記情報処理手段は、前記クライアントからの要求に応じて前記情報蓄積手段から保護情報を検索し提供するものであることを特徴とする請求項７記載の情報管理サーバプログラム。
【請求項９】
請求項７または８に記載の情報管理サーバプログラムを記録したコンピュータ読み取り可能な記録媒体。
【発明の詳細な説明】
【技術分野】
【０００１】
本発明は、例えば介護支援などを目的として各ケアマネージャやヘルパ等のケアプランや実績等の情報を管理するための情報管理サーバ、情報管理サーバシステムおよび情報管理方法、並びに情報管理サーバプログラムおよびこの情報管理サーバプログラムを記録したコンピュータ読み取り可能な記録媒体に関する。
【背景技術】
【０００２】
介護保険制度により、寝たきりや痴呆などで介護を必要とする人が、適切な医療・福祉サービスを受けられるようになっている。介護保険制度では、ケアマネージャ（介護支援専門員）が、要介護者などからの相談に応じてケアプラン（介護サービス計画）を作成する。ヘルパ、ケアワーカ、看護師、医師、歯科医師、薬剤師や理学療法士等（介護サービス提供者）は、ケアマネージャによって作成されたケアプランに従い、被介護者に対して介護サービスを提供する。
【０００３】
介護保険を適用するには、被介護者に対して提供する介護サービスの実施予定および実績に関する綿密な情報の共有が必要である。従来、これらの情報は、各ケアマネージャやヘルパが独自に、相互に異なる介護支援プログラムを導入したコンピュータを用いて管理していた。しかし、このような介護支援プログラムではケアマネージャとヘルパとの間での情報共有ができない。そこで、例えば、特許文献１〜３に記載のような、これらの情報を共有可能とした介護支援システムが開発されている。
【０００４】
特許文献１に記載の介護支援システムは、拠点となる配信システム・サーバでケアプランや実績等の情報を一括管理し、このサーバに対してケアマネージャおよびヘルパがそれぞれのコンピュータにより接続して情報を送受信することにより、ケアマネージャおよびヘルパが情報共有するものである。特許文献２，３も同様に、拠点となる管理センタのホスト・コンピュータでケアプラン等の情報を一括管理し、このホスト・コンピュータを介してケアマネージャや要介護者等が情報共有するものである。
【０００５】
【特許文献１】特開２００２−１６９８９３号公報
【特許文献２】特開２００２−１９７１９０号公報
【特許文献３】特開２００１−３１２５６２号公報
【発明の開示】
【発明が解決しようとする課題】
【０００６】
上記のように、特許文献１〜３に記載のシステムによれば、ホスト・コンピュータのデータベースによって各ケアマネージャおよびヘルパのケアプランや実績等の情報を一括管理するため、情報の共有が可能である。しかしながら、このように情報を一括管理する介護支援システムでは、すべての情報が一つのデータベースおよびホスト・コンピュータに集中しているため、データベースおよびホスト・コンピュータには高い信頼性が求められる。そのため、このような介護支援システムは非常に高価であり、その構築は専門のシステムエンジニアでなければ不可能であるため、導入にはかなりの費用が必要となる。
【０００７】
そこで、本発明においては、各ケアマネージャやヘルパ等のケアプランや実績等の情報を一括管理することなく分散管理することによって、低簾かつ容易に情報共有することが可能な情報管理サーバ、情報管理サーバシステムおよび情報管理方法並びに情報管理サーバプログラムおよびこの情報管理サーバプログラムを記録したコンピュータ読み取り可能な記録媒体を提供することを目的とする。
【課題を解決するための手段】
【０００８】
本発明の情報管理サーバは、電気通信回線を介して相互に接続される他の情報管理サーバと共有する共有情報を蓄積する情報蓄積手段と、情報蓄積手段に蓄積する共有情報を同期する他の情報管理サーバのリストを記憶する同期リスト記憶手段と、情報蓄積手段に蓄積する共有情報を同期リスト記憶手段に記憶された他の情報管理サーバのすべてと順次同期する同期手段と、電気通信回線を介して接続するクライアントからの要求に応じて情報蓄積手段へ共有情報を記録するとともに前記情報蓄積手段から共有情報を検索し提供する情報処理手段とを有するものである。この情報管理サーバが複数、電気通信回線を介して相互に接続されることで、本発明の情報管理サーバシステムが構成される。
【０００９】
本発明の情報管理サーバでは、各情報管理サーバのそれぞれのクライアントからの要求に応じて情報蓄積手段へ他の情報管理サーバと共有する共有情報が記録、蓄積され、この蓄積された共有情報は、各情報管理サーバのそれぞれのクライアントからの要求に応じて提供される。また、情報管理サーバは、同期リスト記憶手段に記憶する同期リストに従って、他の情報管理サーバのすべてと情報蓄積手段の同期を行う。これにより、各情報管理サーバのクライアントは、他のすべての情報管理サーバと同期された共有情報を取得することができる。
【００１０】
ここで、情報蓄積手段は、共有情報に加えてクライアントのみに提供する保護情報を蓄積するものであり、同期手段は、情報蓄積手段に蓄積する保護情報を除いて同期するものであり、情報処理手段は、クライアントからの要求に応じて情報蓄積手段から保護情報を検索し提供するものであることが望ましい。
【００１１】
これにより、クライアントのみに提供する保護情報については、共有情報のように他の情報管理サーバと同期されることがないため、各情報管理サーバと各クライアントとの間でのみ要求に応じて流通し、他の情報管理サーバへ一切流出することがない。
【００１２】
なお、同期手段は、同期リスト記憶手段に記憶された情報管理サーバに接続し、この接続した情報管理サーバに蓄積された共有情報と自己の情報蓄積手段に蓄積する共有情報とを比較し、この比較の結果、自己の情報蓄積手段に蓄積する共有情報に加えられた変更が接続した情報管理サーバに蓄積する共有情報に加えられていない場合に、自己の情報蓄積手段に蓄積する共有情報に加えられた変更を接続した情報管理サーバに蓄積する共有情報に加えるものとすることができる。
【発明の効果】
【００１３】
（１）電気通信回線を介して相互に接続される他の情報管理サーバと共有する共有情報を蓄積する情報蓄積手段と、情報蓄積手段に蓄積する共有情報を同期する他の情報管理サーバのリストを記憶する同期リスト記憶手段と、情報蓄積手段に蓄積する共有情報を同期リスト記憶手段に記憶された他の情報管理サーバのすべてと順次同期する同期手段と、電気通信回線を介して接続するクライアントからの要求に応じて情報蓄積手段へ共有情報を記録するとともに前記情報蓄積手段から共有情報を検索し提供する情報処理手段とを有する構成により、同期リスト記憶手段に記憶する同期リストに従って、他の情報管理サーバのすべてと情報蓄積手段の同期を行い、各情報管理サーバのクライアントは、他のすべての情報管理サーバと同期された共有情報を取得することができる。これにより、各ケアマネージャやヘルパ等のケアプランや実績等の情報を一括管理することなく分散管理することができ、低簾かつ容易に情報共有することが可能となる。
【００１４】
（２）情報蓄積手段は、共有情報に加えてクライアントのみに提供する保護情報を蓄積するものであり、同期手段は、情報蓄積手段に蓄積する保護情報を除いて同期するものであり、情報処理手段は、クライアントからの要求に応じて情報蓄積手段から保護情報を検索し提供するものであることにより、クライアントのみに提供する保護情報については、共有情報のように他の情報管理サーバと同期されることがないため、各情報管理サーバと各クライアントとの間でのみ要求に応じて流通し、他の情報管理サーバへ一切流出することがない。これにより、各情報管理サーバと各クライアントとの間以外について情報蓄積手段に蓄積する情報の一部（保護情報）を秘匿化することができる。
【発明を実施するための最良の形態】
【００１５】
図１は本発明の実施の形態における介護支援用の情報管理サーバシステムの全体構成図である。図１において、各情報管理サーバ１０，２０，３０，４０，５０は、例えばインターネットやＷＡＮ（Wide Area Network；広域通信網）等の電気通信回線９０を介して相互に接続されている。各情報管理サーバ１０〜５０には、それぞれ自己のクライアントとしてのパーソナルコンピュータ（以下、「ＰＣ」と称す。）がインターネット、ＷＡＮやＬＡＮ（Local Area Network；構内通信網）等の電気通信回線を介して接続される。なお、図１では、情報管理サーバ１０に電気通信回線９１を介して複数のＰＣ１１，１２，１３が接続され、情報管理サーバ２０に電気通信回線９２を介して複数のＰＣ２１，２２，２３が接続されている例を示し、その他の情報管理サーバ３０，４０，５０については電気通信回線および接続される複数のＰＣの図示を省略している。
【００１６】
この情報管理システムを介護支援に利用する場合、例えば一つの情報管理サーバ１０を複数のケアマネージャ等の介護支援専門員を抱える介護支援事業所に設置し、一つの情報管理サーバ２０を複数のヘルパ等の介護サービス提供者を抱えるサービス事業所へ設置する。この場合、情報管理サーバ１０へ接続するＰＣ１１〜１３はケアマネージャ等が利用し、情報管理サーバ２０へ接続するＰＣ２１〜２３はヘルパ等が利用する。なお、介護支援事業所および介護サービス事業者へ複数の情報管理サーバ１０〜５０を設置することも可能である。また、また一つの事業所にケアマネージャやヘルパ等が混在する場合には、一つの情報管理サーバ１０に接続するＰＣ１１〜１３をケアマネージャやヘルパ等が共同利用する構成とすることも可能である。
【００１７】
図２は、図１の情報管理サーバ１０の機能構成を示すブロック図である。以下、情報管理サーバ１０を例にとって説明するが、他の情報管理サーバ２０〜５０についても同様の構成である。図２に示すように、情報管理サーバ１０は、共有情報および保護情報を蓄積する情報蓄積手段としてのデータベース１と、自己のデータベース１に蓄積する共有情報について同期を行う他の情報管理サーバ２０〜５０のリスト（以下、「同期リスト」と称す。）を記憶する同期リスト記憶手段２と、各ＰＣ１１〜１３からの要求に応じてデータベース１へ情報を記録するとともにデータベース１から情報を検索し提供する情報処理手段３と、同期リスト記憶手段２に記憶された同期リストに従って他の情報管理サーバ２０〜５０のそれぞれのデータベース１との同期を行う同期手段４とを有する。
【００１８】
ここで、保護情報とは、例えば被介護者個人の氏名、生年月日、性別、郵便番号、住所、電話番号、携帯電話番号、緊急連絡先（氏名、郵便番号、住所、電話番号、続柄等）等の保護が必要な個人情報等の情報である。これらの保護情報は、各被介護者と例えば情報管理サーバ２０が設置される介護サービス事業者との間の秘匿契約によって保護されるものであり、各被介護者のＰＣ２１〜２３と情報管理サーバ２０との間でのみ送受信が行われ、他の情報管理サーバ１０，３０，４０，５０との間では一切送受信は行われないものである。一方、共有情報とは、保護情報と異なり、他の情報管理サーバと同期して共有する情報である。共有情報は、例えば介護予定（介護開始時間、介護終了時間、サービス種類、サービス項目等）や介護実績等の情報である。
【００１９】
情報処理手段３は、接続する各ＰＣ１１〜１３からの要求に応じてデータベース１へ介護予定や介護実績等の共有情報を記録するとともに、データベース１からこれらの共有情報および個人情報等の保護情報を検索し、各ＰＣ１１〜１３へ提供する手段である。
【００２０】
例えば、情報処理手段３は、接続する各ＰＣ１１〜１３から指定された被介護者の氏名、保険者名、被保険者番号、介護支援事業所やサービス事業所等の検索キー（図３に示す検索画面の例を参照。）に基づいてデータベース１を検索し、その対象について介護予定の作成（図４に示す予定作成画面の例を参照。）や介護実績の入力（図５に示す実績入力画面の例を参照。）等を支援する。そして、情報処理手段３は、作成された介護予定や入力された介護実績等の共有情報をデータベース１へ記録する。
【００２１】
また、情報処理手段３は、被介護者個人の個人情報等の情報の入力（図６に示す利用者登録画面の例を参照。）を支援する。情報処理手段３は、ここで入力される情報のうち個人情報等については保護情報としてデータベース１へ登録し、その他の情報については共有情報としてデータベース１へ登録する。さらに、情報処理手段３は、上記検索キーに基づいてデータベース１を検索し、その対象について登録されている介護予定、介護実績や被介護者個人の個人情報等の共有情報および保護情報を各ＰＣ１１〜１３へ提供する。
【００２２】
また、同期リストとは、同期手段４によって同期を行う相手となる情報管理サーバを特定するための情報、例えば各情報管理サーバ２０〜５０のＩＰ（Internet Protocol）アドレスが記録されたものである。同期手段４は、この同期リストに記録されたＩＰアドレスに基づいて同期を行う相手の情報管理サーバ２０〜５０を特定し、この同期リストに登録された情報管理サーバ２０〜５０のすべてと自己（情報管理サーバ１０）のデータベース１との同期を順次行う。
【００２３】
なお、上記構成の情報管理サーバ１０は、上記データベース１、同期リスト記憶手段２、情報処理手段３および同期手段４として機能させるための情報管理サーバプログラムをコンピュータ上で実行することにより、このコンピュータ上で実現されるものである。このとき、情報管理サーバプログラムは、例えばフレキシブルディスク、ＣＤ−ＲＯＭ、ＤＶＤ−ＲＯＭや不揮発性メモリ等のコンピュータ読み取り可能な記録媒体によってコンピュータへ提供される。
【００２４】
上記構成の情報管理サーバシステムにおける同期処理について、図７のフロー図に基づいて説明する。各情報管理サーバ１０は、タイマ処理やキー入力処理等のトリガによって同期処理が開始されると、同期手段４は、同期リスト記憶手段２から同期リストを取得し（Ｓ１０１）、この同期リストに記録されたＩＰアドレスに基づいて情報管理サーバ２０〜５０へ順次接続していく（Ｓ１０２）。
【００２５】
同期手段４は、まず同期リストの最初の情報管理サーバ（例えば、情報管理サーバ２０）への接続を試み、接続できた場合（Ｓ１０３）、接続先の情報管理サーバ２０のデータベース（図示せず。）と自己のデータベース１との比較を行う（Ｓ１０４）。一方、接続できなかった場合には、同期リストの次の情報管理サーバ（例えば、情報管理サーバ３０）への接続を試みる（Ｓ１０７）。
【００２６】
データベースの比較は、各データベースに蓄積された共有情報について比較し、この比較の結果、自己のデータベース１に蓄積する共有情報に加えられた変更が接続先の情報管理サーバ２０のデータベースに蓄積する共有情報に加えられていない場合、すなわち接続先の情報管理サーバ２のデータベースに未更新の情報が存在する場合に（Ｓ１０５）、自己のデータベース１に蓄積する共有情報に加えられた変更を接続先の情報管理サーバ２のデータベースに蓄積する共有情報に加えることにより、接続先の情報管理サーバ２のデータベースを更新する。
【００２７】
同期手段４は、上記ステップＳ１０３〜Ｓ１０６の処理を同期リストに記録された情報管理サーバ２０〜５０のすべてについて行う。同様に、他の情報管理サーバ２０〜５０についても、他の情報管理サーバのデータベースとの同期処理をタイマ処理やキー入力処理等をトリガとして行う。
【００２８】
以上のように、本実施形態における情報管理サーバシステムでは、情報管理サーバは、同期リスト記憶手段２に記憶する同期リストに従って、他の情報管理サーバのすべてとデータベース１の同期を行うため、各情報管理サーバのクライアントであるＰＣは、他のすべての情報管理サーバと同期された共有情報を取得することができる。これにより、各ＰＣによって作成および入力を行うケアマネージャやヘルパ等のケアプランや実績等の情報を一括管理することなく分散管理することができ、低簾かつ容易に情報共有することが可能となる。
【００２９】
また、本実施形態においては、データベース１の同期について、データベース１に蓄積する保護情報を除き、共有情報についてのみ行い、クライアントであるＰＣのみに提供する保護情報については、共有情報のように他の情報管理サーバと同期されることがないため、各情報管理サーバと各ＰＣとの間でのみ要求に応じて流通し、他の情報管理サーバへ一切流出することがない。これにより、各情報管理サーバと各クライアントのＰＣとの間以外についてデータベース１に蓄積する情報の一部である保護情報を秘匿化することができる。
【産業上の利用可能性】
【００３０】
以上、本発明の情報管理サーバシステム等を介護支援用のものとして説明したが、本発明の情報管理サーバシステム等は医療分野における電子カルテの共有、チェーン店、系列店、フランチャイズ店、美容院、衣料店、薬局、飲食店や娯楽施設等における顧客情報の共有、各事業所・営業所・法人間での各種資料等の共有に有用である。
【図面の簡単な説明】
【００３１】
【図１】本発明の実施の形態における介護支援用の情報管理サーバシステムの全体構成図である。
【図２】図１の情報管理サーバの機能構成を示すブロック図である。
【図３】検索画面の例を示す図である。
【図４】予定作成画面の例を示す図である。
【図５】実績入力画面の例を示す図である。
【図６】利用者登録画面の例を示す図である。
【図７】図１の情報管理サーバシステムにおける同期処理を示すフロー図である。
【符号の説明】
【００３２】
１  データベース
２  同期リスト記憶手段
３  情報処理手段
４  同期手段
１０，２０，３０，４０，５０  情報管理サーバ
１１，１２，１３，２１，２２，２３  パーソナルコンピュータ（ＰＣ）
９０，９１，９２  電気通信回線
【図１】
2005122379.tif 000003
【図２】
2005122379.tif 000004
【図３】
2005122379.tif 000005
【図４】
2005122379.tif 000006
【図５】
2005122379.tif 000007
【図６】
2005122379.tif 000008
【図７】
2005122379.tif 000009